(57)【特許請求の範囲】
【請求項１】
携帯電話（２）と、
携帯電話の着信音として利用される多数の楽曲データを記録したデータベースを備え、携帯電話からの要求に応じ、求められた楽曲データを携帯電話へダウンロードできるサーバ装置（１）と、
施錠すべき箇所に取り付けた施錠装置（３）内に設けられ、施錠指令信号及び開錠指令信号を発信する錠制御装置（３１）と、
上記施錠装置（３）内に設けられ、上記錠制御装置（３１）の出力信号により開閉制御される電子錠（３２）と、
から成る携帯電話の着信音を鍵として利用する電子錠システムにおいて；
上記サーバ装置（１）には、携帯電話（２）から要求された楽曲データを暗号化し、当該暗号化された楽曲データに、その暗号解読情報を含むヘッダー及びフッターを付して施錠信号を編成する暗号化手段を設け、当該暗号化手段により編成された施錠信号を、開錠用の楽曲データと共に、要求のあった携帯電話にダウンロードするようにし；
上記錠制御装置（３１）には、当該施錠信号の識別手段を設け、施錠信号が検出された際は、施錠指令信号を発生し、電子錠（３２）に伝達して施錠するように構成すると共に、施錠信号を解読して元の楽曲データに対応する二次楽曲データを得る手段と、当該二次楽曲データを記録するメモリ（３４）とを設け；
携帯電話（２）により施錠をするときは、ダウンロードされた施錠信号をそのまま再生して錠制御装置（３１）に音声入力し、施錠指令信号を発生させ、電子錠（３２）を閉鎖し；
当該携帯電話（２）により開錠をするときは、開錠用の楽曲データを再生して、錠制御装置（３１）に音声入力し；
錠制御装置（３１）は、音声入力された開錠用の楽曲データと、予めメモリ（３４）に記録された上記二次楽曲データとを比較して、両者が一致したと判定されたとき、開錠指令信号を発信し、電子錠（３２）を開放するよう構成したこと；
を特徴とする上記の電子錠システム。
【請求項２】
携帯電話（２）と、
携帯電話の着信音として利用される多数の楽曲データを記録したデータベースを備えたサーバ装置（１）と、
施錠すべき箇所に取り付けた施錠装置（３）内に設けられ、施錠指令信号及び開錠指令信号を発信する錠制御装置（３１）と、
上記施錠装置（３）内に設けられ、上記錠制御装置（３１）の出力信号により開閉制御される電子錠（３２）と、
から成る携帯電話の着信音を鍵として利用する電子錠システムにおいて；
上記サーバ装置（１）には、携帯電話（２）から要求された楽曲データを暗号化し、当該暗号化された楽曲データに、その暗号解読情報を含むヘッダー及びフッターを付して施錠信号を編成する暗号化手段を設け、当該暗号化手段により編成された施錠信号のみを、要求のあった携帯電話にダウンロードするようにし；
上記錠制御装置（３１）には、当該施錠信号の識別手段を設け、施錠信号が検出された際は、施錠指令信号を発生し、電子錠（３２）に伝達して施錠するように構成すると共に、施錠信号を解読して元の楽曲データに対応する二次楽曲データを得る手段と、当該二次楽曲データを記録するメモリ（３４）とを設け；
携帯電話（２）内には、施錠信号を解読して元の楽曲データに対応する二次楽曲データを得、これを記録する手段を設け；
携帯電話（２）により施錠をするときは、ダウンロードされた施錠信号をそのまま再生して錠制御装置（３１）に音声入力し、施錠指令信号を発生させ、電子錠（３２）を閉鎖し；
当該携帯電話（２）により開錠をするときは、前記施錠信号を解読して得た二次楽曲データを再生して錠制御装置（３１）に音声入力し；
錠制御装置（３１）は、携帯電話（２）から音声入力された二次楽曲データと、錠制御装置（３１）自体が施錠信号を解読して予めメモリに記録した前記二次楽曲データとを比較して、両者が一致したと判定されたとき、開錠指令信号を発信し、電子錠（３２）を開放するよう構成したこと；
を特徴とする上記の電子錠システム。
【発明の詳細な説明】
【技術分野】
【０００１】
本発明は、携帯電話着信音を鍵として利用する電子錠システムに関する。
より具体的には、携帯電話が再生する着信音声で施錠し、同様に携帯電話が再生する、施錠した着信音声に対応する着信音声で開錠することが出来る、携帯電話連動着信音声鍵システムに関するものである。
【背景技術】
【０００２】
一般的な鍵の場合、例えば物理的な鍵の場合は、開錠するためにはオリジナルの鍵またはその複製した鍵が必要であり、また指紋認証や声紋認証等の個人識別では、例えば未登録の場合たとえ家族であっても開錠することが出来ない。
またナンバーロックでは番号の組み合わせが少なかったり、番号を変更できなかったり、変更するのが面倒だったりする。そして鍵や番号自体は、開錠する役目しか持っていない。
【０００３】
また、例えば下記の特許文献１には、携帯機器の発する音によって開錠を行うシステムが開示されている。
然しながら、そのシステムでは、携帯機器の発する音に暗号化処理がなされていないので、その音を他人に録音されたり、知られたりすると、誰にでも開けられてしまうという問題がある。また、利用者が開錠に必要な音を自由に設定することができないという不便さもある。
【０００４】
【特許文献１】特開２００５−００２７０４号公報
【発明の開示】
【発明が解決しようとする課題】
【０００５】
本発明は、上記の問題点を解決するためなされたものであり、その目的とするところは、携帯電話機（本発明において、単に「携帯電話」もしくは「携帯端末」ともいう。）の発する音を利用して、鍵を持ち歩くことなく施錠及び開錠が可能で、なお且つ、セキュリティが高く、携帯電話の着信メロディ（本発明において、単に「着メロ」もしくは「着信音声」ともいう。）の曲名を知らせるだけで、施錠したもの以外の家族等も開錠できる、等々のメリットを有する電子錠システムを提供することにある。
【課題を解決するための手段】
【０００６】
上記の目的は、
携帯電話と、
携帯電話の着信音として利用される多数の楽曲データを記録したデータベースを備え、携帯電話からの要求に応じ、求められた楽曲データを携帯電話へダウンロードできるサーバ装置と、
施錠すべき箇所に取り付けた施錠装置内に設けられ、施錠指令信号及び開錠指令信号を発信する錠制御装置と、
上記施錠装置内に設けられ、上記錠制御装置の出力信号により開閉制御される電子錠と、
から成る携帯電話の着信音を鍵として利用する電子錠システムにおいて；
上記サーバ装置には、携帯電話から要求された楽曲データを暗号化し、当該暗号化された楽曲データに、その暗号解読情報を含むヘッダー及びフッターを付して施錠信号を編成する暗号化手段を設け、当該暗号化手段により編成された施錠信号を、開錠用の楽曲データと共に、要求のあった携帯電話にダウンロードするようにし；
上記錠制御装置には、当該施錠信号の識別手段を設け、施錠信号が検出された際は、施錠指令信号を発生し、電子錠に伝達して施錠するように構成すると共に、施錠信号を解読して元の楽曲データに対応する二次楽曲データを得る手段と、当該二次楽曲データを記録するメモリとを設け；
携帯電話により施錠をするときは、ダウンロードされた施錠信号をそのまま再生して錠制御装置に音声入力し、施錠指令信号を発生させ、電子錠を閉鎖し；
当該携帯電話により開錠をするときは、開錠用の楽曲データを再生して、錠制御装置に音声入力し；
錠制御装置は、音声入力された開錠用の楽曲データと、予めメモリに記録された上記二次楽曲データとを比較して、両者が一致したと判定されたとき、開錠指令信号を発信し、電子錠を開放するよう構成したこと；
を特徴とする上記の電子錠システムによって達成できる。
【０００７】
或いはまた、
携帯電話と、
携帯電話の着信音として利用される多数の楽曲データを記録したデータベースを備えたサーバ装置と、
施錠すべき箇所に取り付けた施錠装置内に設けられ、施錠指令信号及び開錠指令信号を発信する錠制御装置と、
上記施錠装置内に設けられ、上記錠制御装置の出力信号により開閉制御される電子錠と、
から成る携帯電話の着信音を鍵として利用する電子錠システムにおいて；
上記サーバ装置には、携帯電話から要求された楽曲データを暗号化し、当該暗号化された楽曲データに、その暗号解読情報を含むヘッダー及びフッターを付して施錠信号を編成する暗号化手段を設け、当該暗号化手段により編成された施錠信号のみを、要求のあった携帯電話にダウンロードするようにし；
上記錠制御装置には、当該施錠信号の識別手段を設け、施錠信号が検出された際は、施錠指令信号を発生し、電子錠に伝達して施錠するように構成すると共に、施錠信号を解読して元の楽曲データに対応する二次楽曲データを得る手段と、当該二次楽曲データを記録するメモリとを設け；
携帯電話内には、施錠信号を解読して元の楽曲データに対応する二次楽曲データを得、これを記録する手段を設け；
携帯電話により施錠をするときは、ダウンロードされた施錠信号をそのまま再生して錠制御装置に音声入力し、施錠指令信号を発生させ、電子錠（３２）を閉鎖し；
当該携帯電話により開錠をするときは、前記施錠信号を解読して得た二次楽曲データを再生して錠制御装置に音声入力し；
錠制御装置は、携帯電話から音声入力された二次楽曲データと、錠制御装置自体が施錠信号を解読して予めメモリに記録した前記二次楽曲データとを比較して、両者が一致したと判定されたとき、開錠指令信号を発信し、電子錠を開放するよう構成したこと；
を特徴とする上記の電子錠システムによっても本発明の目的を達成することができる。
【発明の効果】
【０００８】
上記の如き構成を採用することにより、本発明によるときは、携帯電話から流れる暗号化された着信音声から成る施錠信号で施錠し、また開錠するときは、暗号化されていない着信音声自体で開錠でき、鍵となる音楽や歌、ボイスなどは数十万単位で存在するので、そのセキュリティ性も高く、緊急時などに自分が遠隔地に居て、家族など信用できる者に開錠して欲しい場合などには、着信音声の楽曲名さえ教えれば、家族が当該楽曲データをサーバ装置から携帯電話にダウンロードし再生することによって自由に開錠することが可能である。
また施錠や開錠に使用した着信音声は、そのまま着メロとして使用することが可能であるため、無駄な着メロ利用料を支払う必要がない。
また、歌や台詞で鍵が開くという意外性によって、利用者に娯楽的な要素も提供し得る。
更にまた、着メロ運営サイトの利用の機会が増え、ＩＴ産業の発達にも寄与し得るものである。
【発明を実施するための最良の形態】
【０００９】
以下、図面に示す実施例を参照しつつ、本発明を実施するための最良の形態について説明する。
図１は、本発明に係る携帯電話着信音を鍵として利用する電子錠システムの概念図、
図２は、本発明に係る電子錠システムで利用される着メロ運営サイトに設けられるサーバ装置の回路構成の一実施例を示すブロック図、
図３は、本発明に係る電子錠システムにおいて、電子錠の利用者が使用する携帯電話の回路構成の一実施例を示すブロック図、
図４は、本発明に係る電子錠システムにおいて、施錠すべき箇所に取り付けられる施錠装置の回路構成の一実施例を示すブロック図、
図５は、本発明に係る電子錠システムにおいて、施錠信号として暗号化される前の着メロ用楽曲データの音声波形の一例を示す説明図、
図６は、図５に示した着メロ用楽曲データの音声波形を、施錠信号として暗号化した後の音声波形データを示す説明図、
図７は、図６に示す暗号化された後の音声波形データの前後に、その暗号解読情報を含むヘッダー及びフッターを付して成る施錠信号の一例を示す概念図、
図８は、本発明に係る電子錠システムにおける施錠時の基本作動の一例を示すフローチャート、
図９は、本発明に係る電子錠システムにおける開錠時の基本作動の一例を示すフローチャート、
図１０は、本発明に係る電子錠システムにおける施錠時の基本作動のもう一つの例を示すフローチャート、
図１１は、本発明に係る電子錠システムにおける開錠時の基本作動のもう一つの例を示すフローチャート、
図１２は、着メロ運営サイトに設けられるサーバ装置において、着メロ用楽曲データの音声波形を施錠信号として暗号化する際の暗号化サブルーチンのフローチャート、
図１３は、暗号化された施錠信号を解読するため、携帯電話にインストールされる暗号解読用プログラムによる処理ステップを示すフローチャート、
図１４は、暗号化された施錠信号を解読するため、施錠装置内の錠制御装置にインストールされる暗号解読用プログラムによる処理ステップを示すフローチャートである。
【００１０】
図１中、１は、着メロ運営サイトに設けられるサーバ装置、２は、利用者が使用する携帯電話、３は、施錠すべき箇所に取り付けられる施錠装置である。
サーバ装置１は、図２に示す如く、携帯電話の着信音として利用される多数の楽曲データを記録したデータベース１２を備え、携帯電話２からの要求に応じ、求められた楽曲データを携帯電話２へダウンロードできるようになっている。
施錠装置３内には、図４に示す如く、携帯電話２から再生される楽曲を収録し得るメモリ３４と、施錠指令信号及び開錠指令信号を発信する錠制御装置３１が設けられる。
更にまた、施錠装置３内には、上記錠制御装置３の出力信号により開閉駆動される電子錠（電動式施錠装置）３２が設けられる。
【００１１】
携帯電話２は、通常市販されている携帯電話でよいが、後述するように、サーバ装置１から携帯電話２へ暗号化された施錠信号のみをダウンロードし、携帯電話２内でこの施錠信号を解読して元の楽曲データに対応する二次楽曲データを作成する場合には、携帯電話２内の記憶装置２２（図２参照）や演算制御回路２１に予め暗号解読用のコンピュータプログラム（アプリケーション）をインストールした携帯電話を用いるものである。
【００１２】
本発明において、上記サーバ装置１には、携帯電話２から要求された楽曲データを暗号化し、当該暗号化された楽曲データに、その暗号解読情報を含むヘッダー及びフッターを付して施錠信号を編成する暗号化手段を設け、当該暗号化手段により編成された施錠信号を、開錠用の楽曲データと共に、要求のあった携帯電話にダウンロードするように構成される。
即ち、図２に示すようなサーバ装置１の回路構成において、そのデータベース１２には、携帯電話の着信音として利用される多数の楽曲データが記録されており、携帯電話２からの要求に応じ、求められた楽曲データを携帯電話へダウンロードできるようになっている。また、演算制御回路１１やメモリ１３には、携帯電話２から要求された楽曲データを暗号化し、当該暗号化された楽曲データに、その暗号解読情報を含むヘッダー及びフッターを付して施錠信号を編成するコンピュータプログラムがインストールされており、そのような暗号化手段により編成された施錠信号を、開錠用の暗号化されていない楽曲データと共に、要求のあった携帯電話２にダウンロードするようになっている。
【００１３】
本発明の施錠装置３は、図４に示す如く、携帯電話２から再生される楽曲（暗号化された施錠信号）をマイク３８により採取し、これをＡ／Ｄ変換装置３７でデジタル信号化した後、メモリ３４もしくは記録装置３３に記録すると共に、錠制御装置３１や記録装置３３、メモリ３４にインストールされたコンピュータプログラムによって、上記施錠信号を識別し、施錠信号が検出された際は、施錠指令信号を発生して、これを電子錠（電動式施錠装置）３２に伝達して施錠するように構成されている。
更にまた、上記錠制御装置３１や記録装置３３、メモリ３４にインストールされたコンピュータプログラムによって、上記暗号化された施錠信号を解読して元の楽曲データに対応する二次楽曲データを作成し、これを上記メモリ３４もしくは記録装置３３に記録するようになっている。
【００１４】
携帯電話２により施錠をするときは、サーバ装置１からダウンロードされ携帯電話のメモリ２３もしくは記録装置２２に記録された前記暗号化された施錠信号をそのまま再生して施錠装置３の錠制御装置３１に音声入力し、施錠指令信号を発生させ、電子錠３２を閉鎖するようにする。
他方、携帯電話２により開錠をするときは、サーバ装置１からダウンロードされ携帯電話のメモリ２３もしくは記録装置２２に記録された暗号化されていない開錠用の楽曲データ（着メロ）自体を再生して、施錠装置３の錠制御装置３１に音声入力する。
このとき、錠制御装置３１は、音声入力された開錠用の楽曲データと、予めメモリに記録された前記二次楽曲データとを比較して、両者が一致したと判定したとき、開錠指令信号を発信し、電子錠３２を開放する。
【００１５】
上述の例においては、サーバ装置１から携帯電話２へ、暗号化された施錠信号と共に、暗号化されていない着メロの楽曲データそのものも同時にダウンロードされ、メモリ２３もしくは記録装置２２に記録される。そして、施錠時には施錠装置３のマイク３８の近くで上記暗号化された施錠信号を再生し、開錠時にはダウンロードした暗号化されていない楽曲データを再生するように構成されている。
そのような構成であると、携帯電話２内に暗号化された施錠信号を解読して、元の楽曲データを復元するコンピュータープログラムを設ける必要がないため、市販の任意の携帯電話で施錠及び開錠が可能である。従ってまた、家族等の信頼できる者に開錠を依頼するときも、当該家族等の携帯電話は任意の携帯電話でよく、当該家族等が独自にサーバ装置１からダウンロードした暗号化されていない楽曲データを再生すれば、開錠することができる。
【００１６】
これとは異なり、サーバ装置１から携帯電話２へ暗号化された施錠信号をダウンロードする際に、開錠用の暗号化されていない楽曲データはダウンロードせず、暗号化された施錠信号のみをダウンロードするように構成することも推奨される。
その場合には、携帯電話２内の演算制御回路２１、記録装置２２及びメモリ２３に、当該施錠信号を解読して元の楽曲データに対応する楽曲データ（二次楽曲データ）を復元するためのコンピュータープログラムをインストールすると共に、当該復元された二次楽曲データをメモリ２３もしくは記録装置２２に記録するようにし、開錠時には、携帯電話２から当該二次楽曲データを再生して前記錠制御装置３１に音声入力するように構成する。
そのような構成であると、上記復元用のコンピュータープログラムをインストールした携帯電話でしか開錠できないので、セキュリティが高いという利点がある。
【００１７】
図５ないし図７には、サーバ装置１において、通常の着メロ用楽曲データを、携帯電話２にダウンロードする際に暗号化して施錠信号を編成する場合の一例が示されている。
なお、本発明における暗号化の代表例においては、ＷＡＶ形式の音声データを、ランダムな時間単位でランダムな個数に分割し、それらをランダムに並び替えて、元の音声データとは全く異なった一連の音声データを編成するようにする。また、これに復元可能な可逆性を持たせるため、分割された音声データの各々の時間などに関する分割情報、並べ替え前の位置情報等を、解読用情報として作成し、この解読用情報を、他の必要なデータと共に、上記暗号化された音声データの先頭及び末尾に付加したヘッダーとフッター部分に格納するようにする。
【００１８】
図５には、例えば５秒間の通常の着メロ用楽曲データの音声波形を、ｔ１〜ｔ10の１０区間に区切った状態が示されている。区切る区間の個数及び各区間のそれぞれの時間はランダムに設定され、それらの合計が５秒間になるようになっている。
図６には、図５に示す如く１０区間に区切った着メロ用楽曲データの音声波形の各区間の順番をランダムに入れ替えて、着メロ用楽曲データを暗号化した状態が示されている。
即ち、図５においてはｔ１からｔ10まで番号順に区切られていたものを、図６に示す如く、ｔ10−ｔ８−ｔ６−ｔ４−ｔ２−ｔ９−ｔ７−ｔ５−ｔ３−ｔ１の順番に入れ替える。この順番はランダムに設定される。このように並び替えられた音声波形は、これをスピーカで再生してみても、通常の楽曲のようには聞こえず、まして元の着メロ用楽曲を推定することは到底困難である。
次いで、図７に示すように、図６の如くランダムに入れ替えられた音声波形の先頭にヘッダー（Ｈ）、末尾にフッター（Ｆ）を付与して、サーバ装置１から携帯電話２へダウンロードすべき暗号化された施錠信号を完成する。
ヘッダー（Ｈ）及びフッター（Ｆ）には、暗号化された施錠信号の解読情報、即ち、上記ｔ１〜ｔ10のそれぞれの時間や、配列順を表すデータ等が、それらを更に暗号化した状態で解読情報として収納される。
【００１９】
図８には、本発明に係る電子錠システムにおける施錠時の基本作動の一例がフローチャートにより示され、図９には、その開錠時の基本作動の例がフローチャートにより示されている。
また、図１０には、本発明に係る電子錠システムにおける施錠時の基本作動のもう一つの例がフローチャートにより示され、図１１には、その開錠時の基本作動の例がフローチャートにより示されている。
これらのフローチャート内の説明文において、「着カギ」とは、本発明において鍵として使用される携帯電話用の着信メロディのことを指す。
また、図８ないし図１１の各図中のステップ７における「（通常の着うたなどのデータとして）」とは、「（通常の着うたなどのデータと同様の方式で）」との意である。
更にまた、図８以降のフローチャートにおいて、各図中の右側に記載した参照番号は、各作動の順番数（ステップ番号）である。
【００２０】
図１２には、本発明のため着メロ運営サイトに設けられるサーバ装置において、着メロ用楽曲データの音声波形を施錠信号として暗号化する際の暗号化サブルーチンが、フローチャートにより示されている。
図１３には、暗号化された施錠信号を解読するため、携帯電話にインストールされる暗号解読用プログラムによる処理ステップが、フローチャートにより示されている。
図１４には、暗号化された施錠信号を解読するため、施錠装置内の錠制御装置にインストールされる暗号解読用プログラムによる処理ステップが、フローチャートにより示されている。
【実施例１】
【００２１】
以下、具体的な一つの実施例について説明する。
利用者は、自分の携帯電話２で自分の加入している着メロサイトのサーバ装置１にアクセスし、開錠に使用したい着信音声（着メロ）を選択し、そのデータを暗号化したものを、施錠のための音声データとして、自分の携帯電話２にダウンロードする。
このときサーバ装置１からダウンロードされる着信音声は、開錠に使用する着信音声そのものではなく、これを音声的に原型が判らないよう暗号化したものであり、人が聞いても原型を判断することができない。
そしてこの暗号化された着信音声のデータの先頭と最後に、暗号化を解除（デコード）するための専用データを例えば１秒程度の音データとしたものをヘッダー及びフッターとして付加し、これを施錠用音声データとしてサーバ装置１から携帯電話２へダウンロードする。
【００２２】
ドア等に取り付けられている施錠装置３が開錠状態であるときに、この施錠装置のマイク３８に対し、携帯電話２のスピーカ２８から、上記の如くダウンロードした暗号化された着信音声を全時間再生して認識させる。
施錠装置３が最初と最後の上記専用データを正しく認識した場合には、その着信音声をキーとして施錠装置３が施錠される。
【００２３】
また、携帯電話２内では、開錠に使用する着信音声（暗号化されていない着メロ自体）を生成する。これは専用のソフトを携帯電話内で起動し、先にダウンロードした施錠用の暗号化された音声データを、このソフトでデコードすることによって生成される。
或いはまた、開錠用の着信音声（着メロ）を、専用の携帯サイトのサーバ装置１よりその曲名を指定するなどして、新たにダウンロードし、これを開錠用の音声データとして使用することも可能である。特に、家族等の信用できる者に開錠を依頼する場合には、当該家族等に開錠用の着信音声（着メロ）の曲名を知らせ、家族等はその携帯電話に暗号化されていない着信音声（着メロ）を携帯サイトから独自にダウンロードし、これを開錠用の音声データとして使用するものである。
【００２４】
施錠装置３が施錠状態であるときに、施錠装置のマイク３８に対し、携帯電話２内の上記の専用ソフトでデコードした着信音声、もしくは新たにダウンロードした上記の着信音声を再生して認識させる。
これが施錠時に使用された着信音声の元の音声（着メロ）と音声的特徴で一致していた場合、施錠装置は開錠する。
セキュリティ確保上、施錠装置３のマイク３８は指向性の強いものとし、また集音距離も短いものとすることが望ましい。
【００２５】
施錠用の専用のデータとは、着信音声ごとに用意された暗号化用のデータであり、着信音声を暗号化するサーバ装置１側の暗号化ソフトはこのデータを要素として着信音声の暗号化を行い、また開錠に使用する専用のソフトや施錠装置もこれを解読キーとして施錠時に使用した暗号化された着信音声をデコードする。
【００２６】
施錠時及び開錠時に使用される着信音声データの形態は、音声波形を有するという点で通常の着信音声（着メロ）と変らない。
着信音声の暗号化とは、着信音声を波形データとしてまず把握し、これを専用データの数値的要素を使用して可逆性を持たせて時間軸でバラバラにし、並べ替えたものである。このときの数字的要素は、分割時の一つ一つの時間や、配置位置などに使用される。
【００２７】
同じ着信音声を一定期間内に何回も使用したい場合、音声が外に漏れるのはセキュリティ上問題があるので、音声入端子を施錠装置側に設け、携帯電話と物理的に接続することにより、音の外部への漏れを防ぐ仕様を持たせることが望ましい。
【００２８】
本システムの着信音声をダウンロードする専用の携帯サイトとは、一般的なところでの着信音声サイトの一部門として運営することを基本とし、特別に本システム専用のサイトを設けない。これにより、利用者は本システムの運用社が経営するこの一般的な着信音声（着メロ）サイトの会員になっていれば、本システムを利用できることになる。
【００２９】
本システムの施錠装置３は常時電力が必要であるが、電源が落ちた場合を想定し、開錠のキーとなる着信音声の情報を記録しておくための、常時電源を必要としないメモリ装置、例えば、ＳＤカードやメモリスティック、ＵＳＢメモリなどに採用されているメモリを内蔵し、これに情報を記憶させる仕様とすることが望ましい。
【００３０】
なお、本発明は上記の実施例に限定されるものではなく、その目的の範囲内において、上記の説明から当業者が容易に想到し得るすべての変更実施例を包摂するものである。
【産業上の利用可能性】
【００３１】
本発明は上記の如く構成されるので、本発明によるときは、携帯電話の発する音を利用して、鍵を持ち歩くことなく施錠及び開錠が可能で、なお且つ、セキュリティが高く、携帯電話の着信メロの曲名を知らせるだけで、施錠したもの以外の家族等も開錠できる、等々のメリットを有する電子錠システムを提供し得るものである。従って、本発明は、施錠装置の技術分野、携帯電話自体の技術分野、携帯電話の通信サービス提供業者の技術分野、等々の各種産業分野において多大の利用可能性を有するものである。
【図面の簡単な説明】
【００３２】
【図１】本発明に係る携帯電話着信音を鍵として利用する電子錠システムの概念図である。
【図２】本発明に係る電子錠システムで利用される着メロ運営サイトに設けられるサーバ装置の回路構成の一実施例を示すブロック図である。
【図３】本発明に係る電子錠システムにおいて、電子錠の利用者が使用する携帯電話の回路構成の一実施例を示すブロック図である。
【図４】本発明に係る電子錠システムにおいて、施錠すべき箇所に取り付けられる施錠装置の回路構成の一実施例を示すブロック図である。
【図５】本発明に係る電子錠システムにおいて、施錠信号として暗号化される前の着メロ用楽曲データの音声波形の一例を示す説明図である。
【図６】図５に示した着メロ用楽曲データの音声波形を、施錠信号として暗号化した後の音声波形データを示す説明図である。
【図７】図６に示す暗号化された後の音声波形データの前後に、その暗号解読情報を含むヘッダー及びフッターを付して成る施錠信号の一例を示す概念図である。
【図８】本発明に係る電子錠システムにおける施錠時の基本作動の一例を示すフローチャートである。
【図９】本発明に係る電子錠システムにおける開錠時の基本作動の一例を示すフローチャートである。
【図１０】本発明に係る電子錠システムにおける施錠時の基本作動のもう一つの例を示すフローチャートである。
【図１１】本発明に係る電子錠システムにおける開錠時の基本作動のもう一つの例を示すフローチャートである。
【図１２】着メロ運営サイトに設けられるサーバ装置において、着メロ用楽曲データの音声波形を施錠信号として暗号化する際の暗号化サブルーチンのフローチャートである。
【図１３】暗号化された施錠信号を解読するため、携帯電話にインストールされる暗号解読用プログラムによる処理ステップを示すフローチャートである。
【図１４】暗号化された施錠信号を解読するため、施錠装置内の錠制御装置にインストールされる暗号解読用プログラムによる処理ステップを示すフローチャートである。
【符号の説明】
【００３３】
１      サーバ装置
１１    演算制御回路
１２    データベース
１３    メモリ
１４    通信装置
１５    電源装置
１６    モニタ
１７    キーボード
１７ａ  カード挿入口
１８    マウス
１９    広域通信網
２      携帯電話
２１    演算制御回路
２２    記録装置
２３    メモリ
２４    無線通信装置
２５    バッテリー
２６    液晶モニタ
２７    操作ボタン
２８    スピーカ
２９    無線基地局
３      施錠装置
３１    錠制御装置
３２    電子錠（電動式施錠装置）
３３    記録装置
３４    メモリ
３５    電源装置
３６    施錠開錠駆動回路
３７    音声Ａ／Ｄ変換装置
３８    マイク
【図１】
0004416132.tif 000002
【図２】
0004416132.tif 000003
【図３】
0004416132.tif 000004
【図４】
0004416132.tif 000005
【図５】
0004416132.tif 000006
【図６】
0004416132.tif 000007
【図７】
0004416132.tif 000008
【図８】
0004416132.tif 000009
【図９】
0004416132.tif 000010
【図１０】
0004416132.tif 000011
【図１１】
0004416132.tif 000012
【図１２】
0004416132.tif 000013
【図１３】
0004416132.tif 000014
【図１４】
0004416132.tif 000015